(57)【要約】単独または複数組合わせて使用可能なディスプレイであって、自分が単独か、又は、複数組合せて使用されているか否かを判別する判別手段と、前記判別手段の判別結果に応じて、複数組合せて使用されているときは、複数のうちの、位置を特定する位置特定手段と、前記判別手段の判断結果と、前記位置特定手段による位置の特定結果に応じて、単独であれば全画面を、複数組合せて使用されているときは、自分の位置に応じた画像を表示する表示手段とを含む、ディスプレイ。
2013108362.tif 000002
【特許請求の範囲】
【請求項１】
単独または複数組合せて使用可能なディスプレイであって、
自分が単独か、又は、複数組合せて使用されているか否かを判別する判別手段と、
前記判別手段の判別結果に応じて、複数組合せて使用されているときは、複数のうちの、位置を特定する位置特定手段と、
前記判別手段の判別結果と、前記位置特定手段による位置の特定結果に応じて、単独であれば全画面を、複数組合せて使用されているときは、自分の位置に応じた画像を表示する表示手段とを含む、ディスプレイ。
【請求項２】
外部に設けられたコントローラをさらに含み、
前記コントローラは、前記ディスプレイに対して画像信号を送信する、請求項１に記載のディスプレイ。
【請求項３】
前記ディスプレイは、前記コントローラから送信された前記画像信号に基づいて、必要な画像を調整する画像調整手段を含む、請求項２に記載のディスプレイ。
【請求項４】
前記ディスプレイは矩形状であり、矩形の４辺のそれぞれには、他のディスプレイとの接続の有無を検出する接続検出手段を有し、
前記判別手段は前記接続検出手段の検出結果に応じて自分が単独か、又は、複数組合せて使用されているか否かを判別する、請求項１に記載のディスプレイ。
【請求項５】
前記判別手段は、自分の横方向の一方側においてのみ他のディスプレイと接続されていることを検出したときは、自分が横方向の他方側の端部に位置すると判別する、請求項１に記載のディスプレイ。
【請求項６】
前記判別手段は、自分の縦方向の一方側においてのみ、他のディスプレイと接続されていることを検出したときは、自分が縦方向の他方側の端部に位置すると判別する、請求項１に記載のディスプレイ。
【請求項７】
前記判別手段が、自分が横方向および縦方向においてそれぞれ前記一方側の端部に位置すると判別したときは、その旨を他のディスプレイに通知する通知手段を含む、請求項６に記載のディスプレイ。
【請求項８】
前記判別手段が、自分が横方向および縦方向においてそれぞれ前記一方側の端部に位置すると判別したときは、自分の位置情報を記憶する、請求項６に記載のディスプレイ。
【請求項９】
前記接続検出手段が、自分が他のディスプレイと接続されていることを検出したときは、前記ディスプレイは、接続されている他のディスプレイに対して、自分の位置情報を伝達する位置情報伝達手段を含む、請求項４に記載のディスプレイ。
【請求項１０】
前記コントローラは、前記判別手段から送信された位置情報に基づいて、それぞれのディスプレイが表示すべき画像の位置をそれぞれのディスプレイに通知する画像位置通知手段を含む、請求項２に記載のディスプレイ。
【請求項１１】
前記ディスプレイが複数組合せられるときは、同じ画面サイズのディスプレイが組合せられる、請求項１に記載のディスプレイ。
【請求項１２】
前記ディスプレイが複数組合せられるときは、異なる画面サイズのディスプレイが組合せられる、請求項１に記載のディスプレイ。
【請求項１３】
前記ディスプレイからの位置の情報に基づいてマルチディスプレイの表示画面数を検知する画面数検知手段を有する、請求項１に記載のディスプレイ。
【請求項１４】
前記ディスプレイの各々は横方向および縦方向の端部において、所定の間隔で設けられた通信手段を有し、
前記通信手段は隣接して接続される他のディスプレイの通信手段と接続される、請求項１に記載のディスプレイ。
【請求項１５】
前記所定の間隔は、相互に接続されるディスプレイのサイズの最大公約数によって決定される、請求項１４に記載のディスプレイ。
【請求項１６】
前記コントローラは、前記ディスプレイからの相互の位置情報に基づいて、ディスプレイの相互の位置関係を格納する格納手段を有する、請求項２に記載のディスプレイ。
【請求項１７】
単独または複数組合せて使用可能なディスプレイと、前記ディスプレイを制御する外部に設けられたコントローラとを含むディスプレイシステムであって、
前記ディスプレイは、自分が単独か、又は、複数組合せて使用されているか否かを判別する判別手段と、
前記判別手段の判別結果に応じて、複数組合せて使用されているときは、複数のうちの、位置を特定する位置特定手段と、
前記判別手段の判別結果と、前記位置特定手段による位置の特定結果に応じて、単独であれば全画面を、複数組合せて使用されているときは、自分の位置に応じた画像を表示する表示手段とを含み、
前記コントローラは、前記ディスプレイに表示データを提供する、ディスプレイシステム。
【発明の詳細な説明】
【技術分野】
【０００１】
この発明はディスプレイおよびディスプレイシステムに関し、特に、単独でも、マルチディスプレイの一部としても利用可能なディスプレイおよびディスプレイシステムに関する。
【背景技術】
【０００２】
従来から、複数のディスプレイを組み合わせるマルチディスプレイ装置が、例えば、特開２００３−２８０６２３号公報（特許文献１）や特開２００１−１６６７５７号公報（特許文献２）に開示されている。【０００３】
これらの特許文献によれば、複数のディスプレイを組み合わせて多様な形態の表示が行われている。
【先行技術文献】
【特許文献】
【０００４】
【特許文献１】特開２００３−２８０６２３号公報
【特許文献２】特開２００１−１６６７５７号公報
【発明の概要】
【発明が解決しようとする課題】
【０００５】
従来のマルチディスプレイ装置は上記のように構成されていた。複数のディスプレイを多様に組み合わせるという点は開示されていたが、通常テレビとして単独で使用されているディスプレイを利用して、マルチディスプレイを構成するという発想はなかった。【０００６】
この発明は上記のような点に鑑みてなされたもので、基本的には単独でテレビとして利用されると共に、必要に応じて大画面を構成するマルチディスプレイの１台として使用できるディスプレイおよびディスプレイシステムを提供することを目的とする。
【課題を解決するための手段】
【０００７】
この発明に係るディスプレイは、単独または複数組合せて使用可能なディスプレイであって、自分が単独か、又は、複数組合せて使用されているか否かを判別する判別手段と、判別手段の判別結果に応じて、複数組合せて使用されているときは、複数のうちの、位置を特定する位置特定手段と、判別手段の判別結果と、位置特定手段による位置の特定結果に応じて、単独であれば全画面を、複数組合せて使用されているときは、自分の位置に応じた画像を表示する表示手段とを含む。【０００８】
好ましくは、外部に設けられたコントローラをさらに含み、コントローラは、ディスプレイに対して画像信号を送信する。【０００９】
さらに好ましくは、ディスプレイは、コントローラから送信された画像信号に基づいて、必要な画像を調整する画像調整手段を含む。【００１０】
さらに好ましくは、ディスプレイは矩形状であり、矩形の４辺のそれぞれには、他のディスプレイとの接続の有無を検出する接続検出手段を有し、判別手段は接続検出手段の検出結果に応じて自分が単独か、又は、複数組合せて使用されているか否かを判別する。【００１１】
さらに好ましくは、判別手段は、自分の横方向の一方側においてのみ他のディスプレイと接続されていることを検出したときは、自分が横方向の他方側の端部に位置すると判別する。【００１２】
さらに好ましくは、判別手段は、自分の縦方向の一方側においてのみ、他のディスプレイと接続されていることを検出したときは、自分が縦方向の他方側の端部に位置すると判別する。【００１３】
さらに好ましくは、判別手段が、自分が横方向および縦方向においてそれぞれ一方側の端部に位置すると判別したときは、その旨を他のディスプレイに通知する通知手段を含む。【００１４】
さらに好ましくは、判別手段が、自分が横方向および縦方向においてそれぞれ一方側の端部に位置すると判別したときは、自分の位置情報を記憶する。【００１５】
さらに好ましくは、接続検出手段が、自分が他のディスプレイと接続されていることを検出したときは、ディスプレイは、接続されている他のディスプレイに対して、自分の位置情報を伝達する位置情報伝達手段を含む。【００１６】
さらに好ましくは、コントローラは、判別手段から送信された位置情報に基づいて、それぞれのディスプレイが表示すべき画像の位置をそれぞれのディスプレイに通知する画像位置通知手段を含む。【００１７】
さらに好ましくは、ディスプレイが複数組合せられるときは、同じ画面サイズのディスプレイが組合せられる。【００１８】
さらに好ましくは、ディスプレイが複数組合せられるときは、異なる画面サイズのディスプレイが組合せられる。【００１９】
さらに好ましくは、ディスプレイからの位置情報に基づいてマルチディスプレイの表示画面数を検知する画面数検知手段を有する。【００２０】
さらに好ましくは、ディスプレイの各々は横方向および縦方向の端部において、所定の間隔で設けられた通信手段を有し、通信手段は隣接して接続される他のディスプレイの通信手段と接続される。【００２１】
さらに好ましくは、所定の間隔は、相互に接続されるディスプレイのサイズの最大公約数によって決定される。【００２２】
さらに好ましくは、コントローラは、ディスプレイからの相互の位置情報に基づいて、ディスプレイの相互の位置関係を格納する格納手段を有する。【００２３】
この発明の他の局面においては、ディスプレイシステムは単独または複数組合せて使用可能なディスプレイと、ディスプレイを制御する外部に設けられたコントローラとを含み、ディスプレイは、自分が単独か、又は、複数組合せて使用されているか否かを判別する判別手段と、判別手段の判別結果に応じて、複数組合せて使用されているときは、複数のうちの、位置を特定する位置特定手段と、判別手段の判別結果と、位置特定手段による位置の特定結果に応じて、単独であれば全画面を、複数組合せて使用されているときは、自分の位置に応じた画像を表示する表示手段とを含み、コントローラは、ディスプレイに表示データを提供する。
【発明の効果】
【００２４】
この発明においては、ディスプレイが、自分が単独か、またはマルチディスプレイの一部であるかを判別し、マルチディスプレイの一部であるときは、マルチディスプレイのどの部分に自分が位置するのかを特定して対応する位置の画像を表示する。【００２５】
その結果、必要に応じて個々のディスプレイを単独で、または、大画面を構成するマルチディスプレイの１台として使用できるディスプレイを提供できる。
【図面の簡単な説明】
【００２６】
【図１】この発明の基本的概念を示す構成図である。
【図２】外部コントローラの内部構成を示すブロック図である。
【図３】ディスプレイの内部構成を示すブロック図である。
【図４】３０ｉｎｃｈのディスプレイを横方向に３台、縦方向に３台の合計９台組み合わせたマルチディスプレイを図示したものである。
【図５】個々のディスプレイのＣＰＵが行う動作を示すフローチャートである。
【図６】図５のＳ１１で示した横方向位置判断処理のサブルーチンを示すフローチャートである。
【図７】図５のＳ１２で示した縦方向の位置判断処理のサブルーチンを示すフローチャートである。
【図８】マルチディスプレイに画像が表示されたときの画像分割の様子を図示したものである。
【図９】横方向に４０ｉｎｃｈのディスプレイを３台配置し、この上側に隣接させて横方向に３０ｉｎｃｈのディスプレイを４台配置したマルチディスプレイを図示したものである。
【図１０】６０ｉｎｃｈのディスプレイと、この右側に隣接させて３０ｉｎｃｈのディスプレイを縦方向に２台配置したマルチディスプレイを図示したものである。
【図１１】外部コントローラが行う動作のフローチャートである。
【図１２】ディスプレイ、代表ディスプレイ、および外部コントローラの間での通信の様子を示すシーケンス図である。
【発明を実施するための形態】
【００２７】
まず、この発明の基本的な考え方について説明する。図１は、通常は単独のテレビとして利用されるディスプレイ１０が、複数のディスプレイを組み合わせて１つの大きな画像を表示するマルチディスプレイ８０Ａの一部のディスプレイとして使用される場合の、ディスプレイシステム１００についての構成図である。図１を参照して、ディスプレイシステム１００は、マルチディスプレイ８０Ａと、マルチディスプレイ８０Ａを制御する、外部に設けられた外部コントローラ９０とを含む。
【００２８】
マルチディスプレイ８０Ａは、同じサイズの矩形のディスプレイ１０が、横方向に３台、縦方向に２台並べられて、合計６台のディスプレイ１０を含む。ここでは、便宜上、左上端から右下端へ向けて１０Ａ〜１０Ｆの番号を付している。
【００２９】
ここで、ディスプレイ１０Ａ〜１０Ｆの各々は、動的かつ自律的に自分が単体であるのかマルチディスプレイ８０Ａの一部であるのかを判断して適切な画像の表示を行なう。
【００３０】
外部コントローラ９０は、マルチディスプレイ８０Ａを構成する個々のディスプレイ１０Ａ〜１０Ｆが適切な画像の表示を行うために、ディスプレイ１０Ａ〜１０Ｆに向けて無線でディスプレイに表示される画像や動画などの表示データを送信する。
【００３１】
なお、ここでは、ディスプレイ１０Ａについて、単独でもマルチディスプレイの一部としても使用可能なディスプレイを用いた例を図示しているが、当然、他のディスプレイ１０Ｂ〜１０Ｆについても同様に使用可能である。
【００３２】
また、ここでは、６台のディスプレイを用いてマルチディスプレイ８０Ａを構成した場合について説明しているが、ディスプレイの台数が変化した場合、外部コントローラ９０と、マルチディスプレイ８０Ａに接続される何れか１台のディスプレイとが必要なデータの送受信をすることで、接続台数の変化を動的に追従して適切な表示を行なうことが可能となる。例えば、マルチディスプレイ８０Ａから何れか１台のディスプレイを取り外せば、取り外されたディスプレイ１０が表示する画像は、マルチディスプレイ８０Ａで表示中の全体画像の一部の画像から、自動的に全体画像に切り替わる。
【００３３】
以下、このディスプレイシステムを実現するための具体的な構成について説明する。図２は、外部コントローラ９０の内部構成を示すブロック図である。
【００３４】
図２を参照して、外部コントローラ９０は、外部から入力された表示データの色合いや明るさなどを偏りのないバランスの取れた表示データに調整する外部コントローラ用ピクチャコントロール回路９１と、外部コントローラ用ピクチャコントロール回路９１で調整された表示データに変調をかける変調回路９２と、変調回路９２で変調された変調信号を増幅するＰＡ９３と、ＰＡ９３で増幅された変調信号を個々のディスプレイに送信する外部コントローラ用送信アンテナ９４とを含む。また、個々のディスプレイと個別に通信するデータ処理をする外部コントローラ用ＣＰＵ９５と、送受信する信号に対して変調などの調整をする外部コントローラ用トランシーバ９６と、外部コントローラ用トランシーバ９６に接続され、個々のディスプレイと後に説明するデータの送受信を行う外部コントローラ用送受信アンテナ９７と、ディスプレイからの相互の位置情報に基づいて、ディスプレイの相互の位置関係を格納する格納手段として作動するメモリ９８を有する。
【００３５】
図３は、ディスプレイ１０の内部構成を示すブロック図である。図３を参照して、ディスプレイ１０は、全体を制御するディスプレイ用ＣＰＵ１９を含む処理部２１と、それぞれが処理部２１に接続された、外部コントローラ９０から送信された表示データである画像信号を受信するディスプレイ用受信アンテナ１１と、外部コントローラ９０と後に説明するデータの送受信を行うディスプレイ用送受信アンテナ１７と、表示画面１６と、隣接するディスプレイとの接続の有無を検出するためにディスプレイ１０の矩形の４辺のそれぞれに設けられた接続検出手段としても作動する通信手段１９Ａとを含む。なお、通信手段は一辺に複数設けてもよい。
【００３６】
処理部２１は、ディスプレイ用受信アンテナ１１に接続されたチューナ１２と、復調回路１３と、切り出し・ズーム処理回路１４と、ディスプレイ用ピクチャコントロール回路１５とを含む。処理部２１は、外部コントローラ９０から送信された画像信号に基づいて、必要な画像を調整する画像調整手段として作動する。これらの回路によって処理された表示データを表示画面１６に表示する。なお、自分が表示すべき画像については、ディスプレイ用トランシーバ１８が受けた指示に基づいて決定する。
【００３７】
なお、自分が表示すべき画像の切り出しなどの具体的な処理については後述する。
【００３８】
次に、具体的なマルチディスプレイの実施の形態について説明する。ここでは、個々のディスプレイの位置番号（または位置情報）について外部コントローラとディスプレイ間で通信しない場合（第１実施の形態）と、通信する場合（第２実施の形態）とについて説明する。
【００３９】
（１）第１実施の形態
（Ａ）同じサイズのディスプレイを組み合わせた場合
図４は、第１の実施の形態の例として、サイズが３０ｉｎｃｈのディスプレイ２０を横方向に３台、縦方向に３台の合計９台組み合わせたマルチディスプレイ８０Ｂを示す図（Ａ）と、個々のディスプレイがマルチディスプレイ８０Ｂにおいて自分の位置を特定するために用いる位置番号を決定する方法について説明するための概略図（Ｂ）とを示すものである。
【００４０】
図４（Ａ）を参照して、マルチディスプレイ８０Ｂを実現するために、マルチディスプレイ８０Ｂに接続されるディスプレイ２０Ａ〜２０Ｉが自律的に自分の位置を特定する必要があり、そのために隣接したディスプレイ同士が、個別に通信を行なってネットワークを形成する。
【００４１】
図４（Ｂ）を参照して、ディスプレイ２０Ａ〜２０Ｉの各々は、他のディスプレイと重複しないユニークなＩＤ番号および隣接するディスプレイとの通信のための上記した通信手段１９Ａ〜１９Ｅを有する。通信手段１９Ａ〜１９Ｅは、赤外線などによって通信することが考えられるが、隣接する相手とのみ通信できる方法であれば何でも良い。
【００４２】
次に、ディスプレイ１０のＣＰＵ１９が行う動作について説明する。図５〜７はディスプレイのＣＰＵ１９が行う動作を示すフローチャートである。図５はメインルーチンであり、図６および図７は、図５に示した横方向位置判断（Ｓ１１）および縦方向位置判断（Ｓ１２）の処理の内容を示すフローチャートである。ここで、代表ディスプレイは、横方向および縦方向において最大位置番号を有するディスプレイであり、図４（Ｂ）においては、マルチディスプレイ８０Ｂの右端かつ下端に位置するディスプレイ２０Ｉをいう。
【００４３】
なお、位置番号の伝達は通信手段１９Ａ〜１９Ｅを用いて行う。この通信手段の詳細については後に説明する。
【００４４】
図５を参照して、ディスプレイ用ＣＰＵ１９はまず自分の横方向の位置を特定し（ステップＳ１１、以下、ステップを省略する）、ついで自分の縦方向の位置を特定する（Ｓ１２）。その結果に基づいて自分が代表ディスプレイか否か、または単独であるかを判断する（Ｓ１３〜Ｓ１６）。ここで、代表ディスプレイは、横方向および縦方向において最大位置番号を有するディスプレイであり、図４（Ｂ）においては、マルチディスプレイ８０Ｂの右端かつ下端に位置するディスプレイ２０Ｉをいう。
【００４５】
ここで、マルチディスプレイ８０Ｂを構成する位置番号を（Ｘ,Ｙ）とする。それぞれのディスプレイは、左側に隣接するディスプレイから送信されるディスプレイの位置番号の横方向の位置成分Ｘを自分の横方向のＸ成分とする。自分の左側に隣接するディスプレイがなければ、Ｘ＝０として位置番号１を右側に隣接するディスプレイに伝える（図６に示すフローチャートにおいて、ステップＳ１１１〜Ｓ１１４、以下、ステップを省略する）すなわち、ディスプレイ用ＣＰＵ１９は、自分が他のディスプレイと接続されていることを検出したときは、接続されている他のディスプレイに対して、自分の位置情報を伝達する位置情報伝達手段として作動する。また、自分が横方向および縦方向においてそれぞれ一方側の端部に位置すると判別したときは、その旨を他のディスプレイに通知する通知手段として作動する。
【００４６】
なお、「隣接するディスプレイがいない」とは、一つの辺にある通信手段がすべて応答しない場合をさす。また、一つの辺のうちで複数の応答があった場合には、最も位置番号（または位置情報）の大きい通信手段の値を採用する。なお、この実施の形態においては、通信手段は一つの辺に一つだけでもよく、この場合、「隣接するディスプレイがいない」とは、一つの辺に一つだけの通信手段が応答しないことをさす。
【００４７】
さらに、自分の右側に隣接する他のディスプレイがあるか否かを判断し、あれば、自分の位置番号を送信する。
【００４８】
さらに、自分の右側に隣接する他のディスプレイがなく、自分が右端に位置する場合、自分の位置番号Ｘを最大位置番号の横方向成分Ｍとして左側に隣接するディスプレイに送信し、左側に隣接するディスプレイは、右側に隣接するディスプレイから送信された最大位置番号の横方向成分Ｍをそのままさらに左側に隣接するディスプレイに伝える（図６に示すフローチャートにおいて、Ｓ１１５〜Ｓ１１８）。
【００４９】
また、ディスプレイは、上側に隣接するディスプレイから送信される位置番号を縦方向の成分Ｙとし、自分の上側に隣接するディスプレイがなければ、Ｙ＝０として位置番号を記憶し、下側に隣接するディスプレイに伝える（図７に示すフローチャートにおいて、Ｓ１２１〜Ｓ１２４）。
【００５０】
さらに、自分の下側に隣接する他のディスプレイがなく、自分が下端に位置する場合、自分の位置番号Ｙを最大位置番号の縦方向成分Ｎとして上側に隣接するディスプレイに送信し、上側に隣接するディスプレイは、下側に隣接するディスプレイから送信された最大位置番号の縦方向成分Ｎをそのままさらに上側に隣接するディスプレイに伝える（図７に示すフローチャートにおいて、Ｓ１２５〜Ｓ１２８）。
【００５１】
このようにして、個々のディスプレイ２０Ａ〜２０Ｉは、マルチディスプレイ８０Ｂにおいて自分がどこに位置するのかを知ることができる。すなわち、ディスプレイ用ＣＰＵ１９は、複数組合せて使用されているときは、複数のうちの、位置を特定する位置特定手段として作動する。また、ディスプレイからの位置番号（位置情報）に基づいてマルチディスプレイの表示画面数を検知する画面数検知手段として作動する。
【００５２】
上記により、自分が代表ディスプレイ、その他のディスプレイ、または単独のディスプレイの何れであるかを判断することができる。すなわち、ディスプレイ用ＣＰＵ１９は、自分が単独か、または、複数組合せて使用されているか否かを判別する判別手段として作動する。
【００５３】
上記により、個々のディスプレイ２０Ａ〜２０Ｉが有する位置番号（Ｘ，Ｙ）は、２０Ａが（０，０），２０Ｂが（１，０），２０Ｃが（２，０），２０Ｄが（０，１），２０Ｅが（１，１），２０Ｆが（２，１），２０Ｇが（０，２），２０Ｈが（１，２），および２０Ｉが（２，２）となる。また、ディスプレイ２０Ｉの位置番号であり、ディスプレイ２０Ａ〜２０Ｈに対して送信される最大位置番号 （Ｍ，Ｎ）は、（２，２）となる。
【００５４】
次に、図４に示すマルチディスプレイ８０Ｂにおける画像の表示例について説明する。図８は、マルチディスプレイ８０Ｂに画像が表示されたときの画像分割の様子を示した図８（Ａ）と、図８（Ａ）のマルチディスプレイ８０Ｂのディスプレイ２０Ｅに表示される画像の拡大図を示した図８（Ｂ）である。
【００５５】
図８（Ａ）を参照して、図４（Ｂ）およびそれに関連する記載で説明した位置番号（Ｘ，Ｙ）の決定を行うことにより、個々のディスプレイ２０Ａ〜２０Ｉは、自分の位置番号（Ｘ,Ｙ）および最大位置番号（Ｍ,Ｎ）が認識可能なので、外部コントローラ９０から送信された表示データを受信したあとで、自分が表示すべき画像である位置番号（Ｘ,Ｙ）に位置する画像を処理部２１で切り出して表示画面１６に表示する。すなわち、表示画面１６は、自分が単独であれば全画面を、複数組合せて使用されているときは、自分の位置に応じた画像を表示する表示手段として作動する。
【００５６】
図８（Ｂ）は、図８（Ａ）のマルチディスプレイ８０Ｂにおいて、位置番号（１，１）に位置するディスプレイ２０Ｅが表示する画像の拡大図である。
【００５７】
（Ｂ）異なるサイズのディスプレイを混合して組み合わせた場合
図９は、サイズが４０ｉｎｃｈのディスプレイを横方向に３台配置し、この上に隣接させてサイズが３０ｉｎｃｈのディスプレイを横方向に４台配置して構成されるマルチディスプレイ８０Ｃについて示した図９（Ａ）と、マルチディスプレイ８０Ｃを構成する１台の独立するディスプレイ３０が有する複数の通信手段の配置図を示す図９（Ｂ）と、図９（Ａ）のマルチディスプレイ８０Ｃにおいて、個々のディスプレイ４０Ａ〜４０Ｃ，３０Ａ〜３０Ｄが有する通信手段の位置が相互に適合する様子を示すと共に、自分の位置を特定するために用いる位置情報（ＸＸ，ＹＹ）を決定する方法について説明するための図を示す図９（Ｃ）である。
【００５８】
異なるサイズのディスプレイが混合するマルチディスプレイの場合、サイズにおいて相互に可能な限り小さな値の最大公約数をもつディスプレイを用いてマルチディスプレイを構成することにより、構成が単純になり、実現が容易になるので有用である。一般的に大型液晶ディスプレイのサイズは対角線の長さを基準とし、一般的に流通している汎用ディスプレイのサイズとして、例えば、２０ｉｎｃｈ、３０ｉｎｃｈ、３２ｉｎｃｈ、３７ｉｎｃｈ、４０ｉｎｃｈ、４２ｉｎｃｈ、５０ｉｎｃｈ、６０ｉｎｃｈなどがある。
【００５９】
そこで、異なるサイズのディスプレイが混合して接続される場合の一例として、サイズにおいて相互に比較的小さな最大公約数を持つ４０ｉｎｃｈおよび３０ｉｎｃｈのディスプレイを混合して構成されるマルチディスプレイについて説明する。なお、アスペクト比は全て１６：９とする。
【００６０】
図９（Ａ）を参照して、マルチディスプレイ８０Ｃは、横方向に配列されるサイズが４０ｉｎｃｈのディスプレイ４０Ａ〜４０Ｃ、さらに、この上側に隣接させて横方向に配列される３０Ａ〜３０Ｄで構成される。
【００６１】
図９（Ｂ）を参照して、図９（Ａ）に示すマルチディスプレイ８０Ｃを構成する３０ｉｎｃｈのディスプレイ３０は、上下左右の辺の各々に２個づつ、通信手段３１〜３８を有する。
【００６２】
各々の通信手段は３０ｉｎｃｈと４０ｉｎｃｈとの最大公約数である１０ｉｎｃｈの対角線に相当する間隔に通信手段を設けると、通信手段の位置が適合する。
【００６３】
より詳細に説明すると、サイズが３０ｉｎｃｈのディスプレイ３０の対角線の長さをｌとすると、ディスプレイの横方向の長さｘおよび縦方向の長さｙは、ディスプレイ３０の対角線と下側の辺が有する角度をθとすると、ｘ＝ｌｃｏｓθ、ｙ＝ｌｓｉｎθとなる。ｌ＝３０ｉｎｃｈであり画面のアスペクト比が１６：９であるから、ｘおよびｙを求める式にこの数値を代入することにより、具体的な値を得ることが可能である。通信手段の横方向の間隔ｄｘおよび縦方向の間隔ｄｙは、３０ｉｎｃｈと４０ｉｎｃｈのディスプレイの相互の最大公約数は１０ｉｎｃｈであるので、ｄｘ＝１０ｃｏｓθ、ｄｙ＝１０ｓｉｎθとする。
【００６４】
図９（Ｃ）を参照して、上記のようにｄｘ，ｄｙの間隔で通信手段を設けることにより、異なるサイズのディスプレイを混合して隣接させても通信手段の位置が適合する。
【００６５】
次に、図９（Ｃ）を参照して、個々のディスプレイ４０Ａ〜４０Ｃ、３０Ａ〜３０Ｄが、マルチディスプレイ８０Ｃのどこに位置するのかを特定するための位置特定方法を説明する。
【００６６】
異なるサイズのディスプレイが混合して構成されるマルチディスプレイにおいては、個々のディスプレイが有する通信手段の位置を示す位置情報（ＸＸ，ＹＹ）を用いて、個々のディスプレイがマルチディスプレイにおいてどこに位置するのかを特定する。
【００６７】
ここで、図９（Ｂ）を参照して、ディスプレイ３０が有する通信手段の位置情報の特定について説明する。通信手段３３、３４の位置情報（ＸＸ，ＹＹ）は、Ｘ方向においては通信手段３１,３２の次の位置であるからＸＸ＝３となる。また、通信手段３５のＸＸ＝１、通信手段３６のＸＸ＝２となる。同様に、通信手段３３のＹＹ＝１、３４のＹＹ＝２、通信手段３５および３６のＹＹ＝３となる。
【００６８】
図９（Ａ）に示したマルチディスプレイ８０Ｃにおける通信手段の有する位置情報を図９（Ｃ）に示す。
【００６９】
この実施の形態においては、図４およびそれに関連する記載で説明した同一サイズのディスプレイで構成されるマルチディスプレイ８０Ｃで用いた位置番号の代わりに位置情報を用いる点が異なるが、ディスプレイが自分の位置を特定する方法は同様である。
【００７０】
位置情報（ＸＸ，ＹＹ）の決定を行うことにより、個々のディスプレイ３０Ａ〜３０Ｄ，４０Ａ〜４０Ｃは、自分の位置情報（ＸＸ,ＹＹ）および最大位置情報（ＭＭ,ＮＮ）が認識可能なので、外部コントローラから送信された表示データを受信したあとで、自分が表示すべき画像である位置情報（ＸＸ,ＹＹ）の位置の画像を処理部２１で切り出して表示画面１６に表示する。
【００７１】
次に、この実施の形態において、縦方向に複数のディスプレイが配列されている場合について説明する。
【００７２】
図１０は、左端に配置された６０ｉｎｃｈのディスプレイとその右側に隣接された２つの３０ｉｎｃｈのディスプレイで構成されるマルチディスプレイ８０Ｄについて示した図１０（Ａ）と、マルチディスプレイ８０Ｄを構成する１台の独立するディスプレイ６０が有する複数の通信手段の配置を示す図１０（Ｂ）と、図１０（Ａ）のマルチディスプレイ８０Ｄにおいて、個々のディスプレイ５０Ａ，６０Ａおよび６０Ｄが有する通信手段の位置が相互に適合する様子を示すと共に、自分の位置を特定するために用いる位置情報（ＸＸ，ＹＹ）を示す図１０（Ｃ）である。
【００７３】
図１０を参照して、基本的に図９で示した場合と同様に、通信手段が適合して接続されると共に、５０Ａ、６０Ａおよび６０Ｂの位置情報が特定される。
【００７４】
なお、この実施の形態において、個々のディスプレイに加速度センサや傾斜センサなどの取りつけ角度検知手段を設けることで、横置き画面および縦置き画面の混在した表示システムを構成するようにしてもよい。この場合には、横と縦との通信手段の間隔ｄｘおよびｄｙが一致しないことが考えられる。なお、アスペクト比１６：９で計算すると、ｄｘ＝２２０(ｍｍ), ｄｙ＝１２６(ｍｍ)となる。このため、通信手段側にある程度の位置ずれを許容する対策を行なうことで、対応が可能である。
【００７５】
図９およびこれに関連する記載と同様にして、個々のディスプレイ５０Ａ、６０Ａおよび６０Ｂは、自分の位置情報（ＸＸ,ＹＹ）および最大位置情報（ＭＭ,ＮＮ）が認識可能なので、外部コントローラから送信された表示データを受信したあとで、自分が表示すべき画像である位置情報（ＸＸ,ＹＹ）に位置する画像を処理部２１で切り出して表示画面１６に表示する。
【００７６】
（２）第２実施の形態
次に、この発明に係るディスプレイシステムにおいて、個々のディスプレイの位置番号（または位置情報）について外部コントローラとディスプレイ間で通信する実施の形態について説明する。すなわち、この実施の形態において、外部コントローラは、ディスプレイが表示すべき画像の位置をそれぞれのディスプレイに通知する画像位置通知手段として作動する。また、ディスプレイからの位置番号（位置情報）に基づいてマルチディスプレイの表示画面数を検知する画面数検知手段として作動する。
【００７７】
また、この実施の形態においては、上記の第１の実施の形態の図５〜７およびそれに関連する記載で説明したように、ディスプレイ用ＣＰＵ１９が位置特定手段および判別手段として作動していることを前提とする。すなわち、個々のディスプレイは、自分が代表ディスプレイ、その他のディスプレイ、または単独のディスプレイの何れであるかを判断しており、さらに、複数で使用されているときは、自分が複数のうちの位置を特定していることを前提とする。
【００７８】
また、個々のディスプレイが有する横方向および縦方向の端部において所定の間隔で設けられた通信手段が、上下左右に隣接するディスプレイの有する通信手段と接続されて通信することにより、上下左右に隣接するディスプレイのＩＤ番号を把握していることを前提とする。
【００７９】
（Ａ）同じサイズのディスプレイを組み合わせた場合
ここでは、マルチディスプレイの構成は、図４（Ａ）に示すマルチディスプレイ８０Ｂの構成と同じである。図１１は、この実施の形態における外部コントローラが有する、図２に示す外部コントローラ用ＣＰＵ９５の動作についてのフローチャートである。また、第１の実施の形態では、右端かつ下端に位置するディスプレイを代表ディスプレイとして説明したが、この実施の形態では、四隅に位置する何れのディスプレイを代表ディスプレイとしてもよい。また、図１２は、上記した代表ディスプレイと、マルチディスプレイに含まれるその他のディスプレイと、外部コントローラとの間の通信シーケンスを示す。
【００８０】
まず、外部コントローラは、代表ディスプレイからＩＤ番号および初期化リクエストを受信したか否かを判断する（Ｓ２１）。代表ディスプレイからＩＤ番号および初期化リクエストを受信すると（Ｓ２１でＹＥＳ）、受信した代表ディスプレイのＩＤ番号をメモリ９８に格納し（Ｓ２２）、代表ディスプレイに対して上下左右に隣接するディスプレイのＩＤ番号のリクエストを送信する（Ｓ２３）。代表ディスプレイから上下左右に隣接するディスプレイのＩＤ番号を受信したか否かを判断し（Ｓ２４）、上下左右に隣接するディスプレイのＩＤ番号を受信すると（Ｓ２４でＹＥＳ）、受信した上下左右に隣接するディスプレイのＩＤ番号および位置関係をメモリ９８に格納する（Ｓ２５）。受信した何れかのＩＤ番号のディスプレイに対しても、隣接するディスプレイのＩＤ番号のリクエストを送信し、このリクエストの応答として受信したディスプレイのＩＤ番号および位置関係をメモリ９８に格納する。同様にして、順に、全ディスプレイに対して隣接するディスプレイのＩＤ番号のリクエストを送信し、このリクエストの応答として受信したディスプレイのＩＤ番号および位置関係をメモリ９８に格納していく（Ｓ２６〜２７）。全ディスプレイから隣接するディスプレイのＩＤ番号および位置関係を受信したか否かを判断し（Ｓ２８）、全ディスプレイから応答があると（Ｓ２８でＹＥＳ）、全ディスプレイの位置を把握して、配置マップを作成する（Ｓ２９）この結果から個々のディスプレイに表示担当位置を指示する（Ｓ３０）。
【００８１】
（Ｂ）異なるサイズのディスプレイを混合して組み合わせた場合
ここでは、マルチディスプレイの構成は、図９（Ａ）に示すマルチディスプレイ８０Ｃまたは図１０（Ａ）に示すマルチディスプレイ８０Ｄと同じである。また、この実施の形態における上記同じサイズのディスプレイを組み合わせた場合と同じ処理内容となる。すなわち、図１１と上記のこれに関連する記載、および図１２と上記のこれに関連する記載と同じ処理内容となる。
【００８２】
ここで、全体画像の表示データの送信、および個々のディスプレイが表示すべき画像の切り出しの処理内容は、第１実施の形態と同じである。
【００８３】
なお、外部コントローラとディスプレイの間の通信は無線で行なう。同一の周波数帯を共用してもよいが、この場合は、外部コントローラまたはディスプレイの何れかが送信している間には他機は送信することができないため、異なる周波数を用いてもよい。
【００８４】
また、外部コントローラがマスタとなり、順にディスプレイを呼び出して返答を得る方式としてもよい。
【００８５】
なお、個々のディスプレイを隣接して設置する場合に通信手段同士が問題なく通信できるために、設置位置がずれない必要があるが、このために物理的に対応する凹凸を一定間隔で設けてもよい。
【００８６】
また、上記の第１および第２の実施の形態においては、全体画像の表示データの送信を外部コントローラが行う場合について説明したが、これに限らず、ディスプレイが全体画像の表示データを保持してもよい。この場合、代表となるディスプレイだけが全体画像の保持をしてもよいし、同期を行った上で全てのディスプレイが全体画像の保持を行ってもよい。
【００８７】
また、上記の第１および第２の実施の形態においては、自分が表示すべき表示データの切り出しを個々のディスプレイが行う場合について説明したが、これに限らず、外部コントローラが行ってもよい。
【００８８】
また、個々のディスプレイが、位置番号（または位置情報）の管理および全体画像の表示データの保持を行い、外部コントローラが、個々のディスプレイが表示すべき表示データの切り出しを行ってもよい。この場合、代表となるディスプレイだけが全体画像の保持を行ってもよいし、同期を行った上で全てのディスプレイが全体画像を保持を行ってもよい。
【００８９】
また、個々のディスプレイが全体画像の表示データの保持を行い、外部コントローラが、位置番号（または位置情報）の管理および個々のディスプレイが表示すべき表示データの切り出しを行ってもよい。この場合、代表となるディスプレイだけが全体画像の保持を行ってもよいし、同期を行った上で全てのディスプレイが全体画像を保持を行ってもよい。
【００９０】
また、さらに複雑な組み合わせの形状としてもよい。上記の第１および第２の実施の形態においては、左上および右下のディスプレイの存在が必須条件である。なぜなら、もっとも左上のディスプレイは位置（０，０）の基準を決定する存在であり、またもっとも右下のディスプレイは最大位置番号または最大位置情報を把握して全ディスプレイに通知するホストの役割を果たすからである。
【００９１】
これに対して、アスペクト比の検出とそれに併せた表示をするようにしてもよい。
【００９２】
また、最大段数の検出および警告を表示してもよい。なお、ここで最大段数とは、物理的に許容可能な縦方向のディスプレイの組み合わせ台数である。すなわち、最大段数よりも多くのディスプレイを縦方向に組み合わせたとき、これを検出し、警告を表示する。なお、最大段数は横方向で検出して警告を表示してもよい。
【００９３】
さらに、複数のディスプレイグループを構成して、グループごとの操作を行うようにしてもよい。
【００９４】
また、上記の第１および第２の実施の形態においては、無線を用いて外部コントローラから個々のディスプレイに対して表示データなどを送信する場合について説明したが、これに限らず、有線を用いて送信してもよい。
【００９５】
また、上記の第１および第２の実施の形態においては、左端かつ上端に位置するディスプレイの位置番号（または位置情報）を最小値とし、そこから右端かつ下端に位置するディスプレイを最大位置番号としたが、これに限らず、矩形の任意の四隅のいずれかから、対角線方向に位置番号（または位置情報）を増やすように番号付けをしてもよい。
【００９６】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００９７】
この発明によれば、ディスプレイを単体でも、マルチディスプレイの一部としてでも使用できるため、ディスプレイとして有利に使用される。
【符号の説明】
【００９８】
１０，２０，３０，４０，５０，６０  ディスプレイ、１１  ディスプレイ用受信アンテナ、１２  チューナ、１３  復調回路、１４  切り出し・ズーム処理回路、１５  ディスプレイ用ピクチャコントロール回路、１６  表示画面、１７  ディスプレイ用送受信アンテナ、１８  ディスプレイ用トランシーバ、１９  ディスプレイ用ＣＰＵ、１９Ａ〜１９Ｅ，３１〜３８  通信手段、８０  マルチディスプレイ、９０  外部コントローラ、９１  外部コントローラ用ピクチャコントロール回路、９２  変調回路、９３  ＰＡ、９４  外部コントローラ用送信アンテナ、９５  外部コントローラ用ＣＰＵ、９６  外部コントローラ用トランシーバ、９７  外部コントローラ用送受信アンテナ、９８  メモリ、１００  ディスプレイシステム。
【図１】
2013108362.tif 000003
【図２】
2013108362.tif 000004
【図３】
2013108362.tif 000005
【図４】
2013108362.tif 000006
【図５】
2013108362.tif 000007
【図６】
2013108362.tif 000008
【図７】
2013108362.tif 000009
【図９】
2013108362.tif 000010
【図１０】
2013108362.tif 000011
【図１１】
2013108362.tif 000012
【図１２】
2013108362.tif 000013
【図８】
2013108362.tif 000014
【国際調査報告】
2013108362.tif 000015
2013108362.tif 000016